(57)【要約】【課題】センターピラーの無い車体の車体側部の強度を確保するしつつ、シートベルトリトラクタのような機能部品の取り付けのための補強部材を増設する必要のないドア構造を提供する。【解決手段】ベルトラインを挟んで上下に延びるインパクトバー部材5は、車室側から車外側に向けて抱きかかえる上端ブラケット12及び下端ブラケット13などを介して縦レインフォースメント8と一体となって実質的に側面衝突に対する車体補強部材を構成する。上端ブラケット12には、アッパラッチ18やシートベルトショルダーアンカ26が取り付けられ、下端ブラケット13には、キャッチャピン49やレインフォースメント40を介してドアロック部材であるロアラッチ45が取り付けられる。【選択図】図３
2006096348.tif 000002
【特許請求の範囲】
【請求項１】
アウターパネルとインナパネルを備えたフロントドアに対応する前席乗員用開口と、アウターパネルとインナパネルを備えたリアドアに対応する後席乗員用開口とが、これらフロントドアとリアドアを開いたときに、仕切の無い一つの開口部を形成する車両のドア構造であって、
前記フロントドア及び前記リアドアの窓枠の下端縁で規定されるベルトラインを挟んで上下に延びるパイプ部材と、該パイプ部材に隣接配置された縦レインフォースメントとを有し、
前記縦レインフォースメントに機能部品が取り付けられていることを特徴とする車両のドア構造。
【請求項２】
アウターパネルとインナパネルを備えたフロントドアに対応する前席乗員用開口と、アウターパネルとインナパネルを備えたリアドアに対応する後席乗員用開口とが、これらフロントドアとリアドアを開いたときに、仕切の無い一つの開口部を形成する車両のドア構造であって、
前記フロントドア及び前記リアドアの窓枠の下端縁で規定されるベルトラインを挟んで上下に延びるパイプ部材と、該パイプ部材に縦レインフォースメントとを有し、
前記パイプ部材に機能部品が取り付けられていることを特徴とする車両のドア構造。
【請求項３】
前記機能部品がドアロック部材である、請求項１又は請求項２に記載の車両のドア構造。
【請求項４】
車室側に膨出し且つ車外側に開放した断面略半円形の縦溝を備えた第１ブラケットを介して前記パイプ部材が車室側から車外側に向けて略半周抱きかかえた状態で前記レインフォースメントに隣接配置され、前記第１ブラケットに機能部品が取り付けられている、請求項３に記載の車両のドア構造。
【請求項５】
前記ドアロック部材が、平面視したときに前記第１ブラケットと前記縦レインフォースメントとの間に形成される空間に配設され、該ドアロック部材は、前記第１ブラケットと前記縦レインフォースメントとに連結され且つ前記第１ブラケットと前記縦レインフォースメントとの間に亘って延びる第２ブラケットを介して前記第１ブラケットに取り付けられている、請求項４に記載の車両のドア構造。
【請求項６】
前記機能部品がシートベルト部材である、請求項１又は請求項２に記載の車両のドア構造。
【請求項７】
前記機能部品が、側面衝突のときにドアの変位を規制するキャッチャピンである、請求項１又は請求項２に記載の車両のドア構造。
【請求項８】
前記機能部品のシートベルト又はキャッチャピンが、ブラケットを介しパイプ部材もしくは縦レインフォースメントに取付けられている、請求項６又は請求項７に記載の車両のドア構造。
【請求項９】
前記機能部品のシートベルト又はキャッチャピンが、ブラケットを介しパイプ部材及び縦レインフォースメントに取付けられている、請求項６又は請求項７に記載の車両のドア構造。
【請求項１０】
前記フロントドア及び／又は前記リアドアには、前記縦レインフォースメントの車外側に車体前後方向に延びる横インパクトバーが配設されている、請求項１〜９のいずれか一項に記載の車両のドア構造。
【発明の詳細な説明】
【技術分野】
【０００１】
この発明は、センターピラーの無い車体、典型的には、フロントドアとリアドアとを観音開きにした車体の側部に加わる衝撃に対する車体側部の強度を確保するようにした車両のドア構造に関する。
【背景技術】
【０００２】
典型的にはフロントドアとリアドアとが観音開きする車両のように、フロントドアに対応する開口部とリアドアに対応する開口部とが、これらフロントドアとリアドアとを開放したときに一つの開口部を形成する車両にあっては、センターピラーを配置させることができないため、車体開口部の剛性、ドア本体の強度・剛性の向上が要求される。そして、ドア本体の強度・剛性向上の対策としては、一般的に、特許文献１に見られるように、車体前後方向に延びるインパクトバーをドア内部に配置することにより、車体側部に加わる衝撃に対する車体側部の強度を確保することが既に提案されている。
【０００３】
また、センターピラーレスの車両では、シートベルトリトラクタのような機能部品の取付剛性を確保するのが難しいため、特許文献２に見られるように、リアドアの前端の上下にアッパドアロックとロアドアロックとを設けると共に、アッパドアロックをリアドアに取り付けるためのアッパドアロック取付用ブラケットにフロントシート用のシートベルトのショルダアンカを取り付け、また、ロアドアロックをリアドアに取り付けるためのロアドアロック取付用ブラケットにフロントシート用のシートベルトのラップアウタアンカとシートベルトリトラクタとを取り付けることが既に提案されている。
【特許文献１】特開平１０−２５０３７０号公報
【特許文献２】特開２００１−１３８８６４号公報
【発明の開示】
【発明が解決しようとする課題】
【０００４】
本発明の目的は、センターピラーの無い車体の車体側部の強度を確保しつつ、シートベルトリトラクタのような機能部品の取り付けのための補強部材を増設する必要のない車両のドア構造を提供することにある。
【課題を解決するための手段】
【０００５】
かかる技術的課題は、本発明によれば、
アウターパネルとインナパネルを備えたフロントドアに対応する前席乗員用開口と、アウターパネルとインナパネルを備えたリアドアに対応する後席乗員用開口とが、これらフロントドアとリアドアを開いたときに、仕切の無い一つの開口部を形成する車両のドア構造であって、
前記フロントドア及び前記リアドアの窓枠の下端縁で規定されるベルトラインを挟んで上下に延びるパイプ部材と、該パイプ部材に隣接配置された縦レインフォースメントとを有し、
前記縦レインフォースメントに機能部品が取り付けられていることを特徴とする車両のドア構造か、もしくは、
アウターパネルとインナパネルを備えたフロントドアに対応する前席乗員用開口と、アウターパネルとインナパネルを備えたリアドアに対応する後席乗員用開口とが、これらフロントドアとリアドアを開いたときに、仕切の無い一つの開口部を形成する車両のドア構造であって、
前記フロントドア及び前記リアドアの窓枠の下端縁で規定されるベルトラインを挟んで上下に延びるパイプ部材と、該パイプ部材に縦レインフォースメントとを有し、
前記パイプ部材に機能部品が取り付けられていることを特徴とする車両のドア構造を提供することにより達成される。
【０００６】
すなわち、前記フロントドアの後端部及び／又は前記リアドアの前端部に設けた縦レインフォースメント及びこれに隣接配置され且つ車室側から車外側に向けて略半周抱きかかられた状態のパイプ部材とで車体側部の強度を確保できる。これに加えて、縦レインフォースメントもしくはパイプ部材を使って機能部品を取り付けることで、機能部品を取り付けるための補強部材を増設する必要性が無くなる。
【０００７】
本発明の好ましい実施の形態では、上記機能部品はドアロック部材であってもよい。好ましくは、車室側に膨出し且つ車外側に開放した断面略半円形の縦溝を備えた第１ブラケットを介して前記パイプ部材が車室側から車外側に向けて略半周抱きかかえた状態で前記レインフォースメントに隣接配置され、前記ドアロック部材が、平面視したときに前記第１ブラケットと前記縦レインフォースメントとの間に形成される空間に配設され、該ドアロック部材は、前記第１ブラケットと前記縦レインフォースメントとに連結され且つ前記第１ブラケットと前記縦レインフォースメントとの間に亘って延びる第２ブラケットを介して前記第１ブラケットに取り付けられるのがよい。上記機能部品の他の例として、シートベルト部材、側面衝突のときにドアの変位を規制するキャッチャピンを挙げることができる。
【０００８】
また、車体側部の強度を確保するのに、フロントドア及び／又はリアドアに、前記縦レインフォースメントの車外側に車体前後方向に延びる横インパクトバーを配設するのが望ましい。
【０００９】
本発明の上記目的及び他の目的、その作用効果は、以下の本発明の実施例の説明から明らかになるであろう。
【発明を実施するための最良の形態】
【００１０】
以下に、添付の図面に基づいて本発明の好ましい実施例を説明する。
【００１１】
図１は、本発明を適用した車両の一部側面図である。この車両１は、フロントドア２とリアドア３とで構成される、いわゆる観音開きのサイドドアを有する。すなわち、フロントドア２は、その前端に配置されたドアヒンジ（図示せず）を含み、また、リアドア３は、その後端に配置されたドアヒンジ（図示せず）を含む。これにより、当業者であれば理解できるように、フロントドア２は、その前端を中心にして開閉動作し、また、リアドア３は、その後端を中心にして開閉動作し、フロントドア２とリアドア３とを開いた状態では、車両１の側部に車室の内外に連通する仕切のない開口が形成される。換言すれば、車両１は、センタピラーレスの車体であり、フロントドア２に対応する前席乗員用開口とリアドア３に対応する後席乗員用開口とが、これらフロントドア２とリアドア３とを開放したときに、仕切の無い一つの開口部を形成する。
【００１２】
図２は、リアドア３のアウターパネルを取り外して内部を露出した概略図である。同図から理解できるように、リアドア３は、その前端部分に、共に車体上下方向に延びるインパクトバー部材Ａ及び縦レインフォースメント６を有し、この縦レインフォースメント６の外側面には、前後方向に延びる横インパクトバー７が取り付けられている。インパクトバー部材Ａは、好ましくは、垂直方向に延びるのがよい。図２の参照符号８は、リアドア３の後端に配置されたドアヒンジ用取付座を示す。
【００１３】
図３は、図１のIII−III線に沿った断面図であり、図４は、インパクトバー部材Ａを構成するインパクトバー本体５と、その上端及び下端に取り付けられるブラケットの分解斜視図である。これらの図面において、リアドア３は、従来と同様に、アウターパネル１０とインナーパネル１１とを含む。
【００１４】
アウターパネル１０とインナーパネル１１とで挟まれた内部空間には、リアドア３の前端部分に、アウターパネル１０側から順に、縦レインフォースメント６、インパクトバー本体５が配置され、インパクトバー本体５は、上端ブラケット１２と下端ブラケット１３とセンターブラケット１４とを介して、レインフォースメント６に固定されている。
【００１５】
インパクトバー本体５は高張力鋼からなるパイプ材から作られ、ブラケット１２〜１４は鉄系金属から作られている。他方、アウターパネル１０、インナーパネル１１及び縦レインフォースメント６はアルミニウム材材から作られている。
【００１６】
上端ブラケット１２は、アウターパネル１０側に位置する外側ブラケット要素１５と、インナーパネル１１側に位置する内側ブラケット要素１６との２つの部材で構成され、これらの要素１５、１６はリベットＲ及びボルトナットの組み合わせ（以下、ボルトナットの組み合わせを単に「ボルトＢ」という）によって相互に固定される。リベットＲはアルミニウム材製であるのが好ましく、このアルミニウム材製リベットＲを用いて、上端ブラケット１２が縦レインフォースメント６に締結されている（図３）。
【００１７】
上端ブラケット１２は、上下方向に延びる形状を有し、内側ブラケット要素１６の上方部分には、ドアロック要素であるアッパラッチ１８（図３）をボルトＢを使って固定するための取付座２０が形成されている（図３、図４、図６）。このアッパラッチ１８は、リアドア３を閉じたときに、車体側部材であるルーフサイドレール２２にボトル止めされたアッパストライカ２３と係合して（図３）、リアドア３を閉じ位置で固定する。
【００１８】
上端ブラケット１２には、また、内側ブラケット要素１６の上方部分に、シートベルト２５のショルダーアンカ２６を固定するためのアンカブラケット２７をボルト止めするための座２８が形成されている（図５）。
【００１９】
上端ブラケット１２は、また、その下方部分に、内外のブラケット要素１５、１６が共同してインパクトバー本体５の上端部を受け入れる縦穴３０（図４）を有し、この縦穴３０は、インパクトバー本体５の径に適合する径となるように、外側ブラケット要素１５の下方部分にプレス成形により形作られた略半円形断面の縦溝３１と、内側ブラケット要素１８の下方部分にプレス成形により形作られた略半円形断面の縦溝３２とで構成されている。インパクトバー本体５の上端部は、内側ブラケット要素１８の縦溝３２に受け入れられた状態で溶接により固着される。また、外側ブラケット要素１６に対しては、その下に形成したスリット３３の部分で溶接されている。
【００２０】
下端ブラケット１３は、インパクトバー本体５の下端部に対して車体内方側に位置する一つの部材からなり、この下端ブラケット１３には略半円形断面の縦溝３５がプレス成形により形作られている。インパクトバー本体５の下端部は、下端ブラケット１３の縦溝３５に受け入れられた状態で溶接により固着される。
【００２１】
下端ブラケット１３は、リアドア３の下端面に沿って略Ｌ字状に屈曲した形状を有するロアラッチレインフォースメント４０及びインナーパネル１１にリベットＲ及びボルトＢを介して締結される（図９）。
【００２２】
ロアラッチレインフォースメント４０は、その車体外方に位置する立ち上がりフランジ４２を有し、この立ち上がりフランジ４２は縦レインフォースメント６の下端にリベットＲを介して締結される（図５）。
【００２３】
ロアラッチレインフォースメント４０の底面には、ドアロック要素であるロアラッチ４５（図３、図５）が取り付けられ、このロアラッチ４５は、リアドア３を閉じたときに、車体側部材を構成するサイドシェル４６にボルト止めされたロアストライカ４７と係合して（図３）、リアドア３を閉じ位置で固定する。
【００２４】
ロアラッチレインフォースメント４０の車体内方側の縦フランジ４８は、その大部分が下端ブラケット１３と重なり合い、この重なり合った部分に一対のキャッチャピン４９がボルト止めされる（図５、図１０）。この一対のキャッチャピン４９は、リアドア３と閉じると、サイドシェル４６の車体前後方向に離間した一対の位置決め穴５０（図３）に中に侵入して、側面衝突時のリアドア３の変位を規制する。
【００２５】
センターブラケット１４は、インパクトバー本体５の上下方向中央部分に配置され、このインパクトバー本体５の中央部分に対して車体内方側に位置する一つの部材からなる。センターブラケット１４には略半円形断面の縦溝５０がプレス成形により形作られており、インパクトバー本体５は、センターブラケット１４の縦溝５０に受け入れられた状態で溶接により固着される。
【００２６】
センターブラケット１４は、インナーパネル１１と縦レインフォースメント６との間に亘って延びる形状を有し、この外端と内端とにそれぞれフランジ５１、５２が形成されている。センターブラケット１４の外側フランジ５１は、リベットＲを介して縦レインフォースメント６に締結され、他方、内側フランジ５２は、リベットＲ及びボルトＢを用いてインナーパネル１１に固定されている。
【００２７】
インナーパネル１１には、下端ブラケット１３とセンターブラケット１４との間に開口５６が形成され、この開口５６はシートベルトリトラクタ取付用の穴を構成する。すなわち、図５から理解できるように、シートベルト部材であるシートベルトリトラクタ６０はブラケット６１に取付られており、このリトラクタ用ブラケット６１は上下方向に延びる形状を有する。このブラケット６１の上端と下端には、ボトル挿通穴６２（下端ボルト挿通穴は図示の関係上現れていない）が形成され、この上下のボルト挿通穴６２を通る上下のボルトＢを用いて、センターブラケット１４と下端ブラケット１３とに固定される。つまり、特に図５を参照すると良く理解できるように、上方ボルトＢを受け入れる一対のボルト挿通穴６６がセンターブラケット１４の上端に形成され、また、下方ボルトＢを受け入れるボルト挿通穴６７が下端ブラケット１３の上端に形成されている。
【００２８】
以上の構成により、インパクトバー本体５は、上端ブラケット１２及び下端ブラケット１３と一体となって実質的に側面衝突に対する車体補強部材を構成する。そして、上端ブラケット１２は、その上端部分が、図３から理解できるように、上側の車体側部材を構成するルーフサイドレール２２とオーバーラップしている。図３の参照符号Ｈ１は、上端ブラケット１２とルーフサイドレール２２とのオーバーラップ部分の高さを示す。また、インパクトバー本体５の下端は、下側の車体側部材を構成するサイドシェル４６とオーバーラップする位置まで下方に延びている。図３の参照符号Ｈ２は、インパクトバー本体５とサイドシェル４６とのオーバーラップ部分の高さを示す。
【００２９】
このように、インパクトバー本体５は、実質的に、車体強度部材であるルーフサイドレール２２及びサイドシェル４６にオーバーラップしているため、車体側部に加わる衝撃に対する車体側部の強度を効果的に確保することができる。
【００３０】
また、このインパクトバー本体５の実質的な構成要素である上端ブラケット１２にアッパラッチ１８やシートベルトのショルダーアンカ２６を取り付けるようにしてあるため、これらドア機能部品のための補強部材を新たに用意する必要はない。同様に、インパクトバー本体５の下端に設けられて、このインパクトバー本体５の実質的な構成要素を成すセンターブラケット１４、下端ブラケット１３、シートベルトリトラクタ用ブラケット及びロアラッチレインフォースメント４０に、シートベルトリトラクタ６０、キャッチャピン４９やロアラッチ４５を取り付けるようにしてあるため、これらドア機能部品のための補強部材を用意する必要はない。
【００３１】
上述したリアドア３は、インナーパネル１１などがアルミニウム材で作られ、また、インパクトバー本体５が高張力鋼から作られ、各種ブラケット１２などが鉄系材で作られているため、塗装工程（塗装の乾燥工程）での熱による熱膨張差に基づく相対変位を吸収するために、ホワイトボディーの段階では、リベットＲで関連する部材を互いに連結し、また、ボルトＢを緩めた状態にしておき、その後、塗装が完了した段階で、ボルトＢを締め付けることにより、これに関連する部材を固定するのが好ましい。
【００３２】
また、図４などから分かるように、インパクトバー本体５に湾曲した形状を与えた場合、インパクトバー本体５の曲がり度合いの固体差を吸収するために、下端ブラケット１３、センターブラケット１４に設けた縦溝３５、５０の深さを、インパクトバー本体５の径よりも大きく設定するのが好ましい。
【００３３】
以上、本発明の好ましい実施例を図面を参照して説明したが、本発明はこれに限定されるものではない。例えば、インパクトバー本体５をリアドア３の前端部分に配置したが、これに代えて又はこれと共に、フロントドア２の後端部分にインパクトバー本体５を配置するようにしてもよい。また、インパクトバー本体５に加えて、リアドア３やフロントドア２に車体前後方向に延びるインパクトバーを設けるようにしてもよい。
【００３４】
また、観音開きのサイドドアに本発明を適用した例を説明したが、本発明は、リアドア３が、車体に沿って前後するスライドドア或いはリアドアが上方に向けて開く跳ね上げタイプのドアであっても好適に適用することができる。
【００３５】
更に、上記の実施例では、インパクトバー部材Ａは、ルーフサイドレール２２とサイドシェル４６とにオーバーラップさせているが、そのいずれか一方にだけオーバーラップさせるようにしてもよい。その際には、オーバーラップしない側は、ドアロック部材で衝撃に対する強度を確保することになる。
【図面の簡単な説明】
【００３６】
【図１】本発明のドア構造を適用した車両の部分側面図である。
【図２】図１の車両に搭載されたドアを抽出すると共に、アウターパネルを取り外した状態のリアドアの概要を示す説明図である。
【図３】図１のIII−III線に沿って切断した断面図である。
【図４】縦インパクトバー及びこれに関連した各種ブラケットを分解して示す斜視図である。
【図５】リアドアの前端部分の内部構造及びリアドアに取り付けられる機能部品の取付を説明するための図である。
【図６】図３のVI−VI線に沿って切断した断面図である。
【図７】図３のVII−VII線に沿って切断した断面図である。
【図８】図３のVIII−VIII線に沿って切断した断面図である。
【図９】図３のIX−IX線に沿って切断した断面図である。
【図１０】図３のＸ−Ｘ線に沿って切断した断面図である。
【符号の説明】
【００３７】
１      車両
２      フロントドア
３      リアドア
５      インパクトバー本体
１２      上端ブラケット
１３      下端ブラケット（第１ブラケット）
１４      センターブラケット
２２      ルーフサイドレール
２６      シートベルトのショルダーアンカ
２７      アンカブラケット
２８      アンカブラケット取付座
４０      ロアラッチレインフォースメント（第２ブラケット）
４５      ロアラッチ（ドアロック部材）
４６      サイドシェル
４９      キャッチャピン
６１      シートベルトリトラクタ用ブラケット
Ａ      インパクトバー部材
Ｂ      ボルトとナットの組み合わせ
Ｒ      リベット
【図１】
2006096348.tif 000003
【図２】
2006096348.tif 000004
【図３】
2006096348.tif 000005
【図４】
2006096348.tif 000006
【図５】
2006096348.tif 000007
【図６】
2006096348.tif 000008
【図７】
2006096348.tif 000009
【図８】
2006096348.tif 000010
【図９】
2006096348.tif 000011
【図１０】
2006096348.tif 000012